(57)【特許請求の範囲】
【請求項１】
人体の四肢のうち何れかの肢の周囲を囲む囲繞部材と、この囲繞部材に設けられ当該囲繞部材による前記肢に対する加圧力を制御することが可能な制御装置とを備えた簡易式の自動電子駆血帯であって、
前記制御装置は、拡張期血圧検出回路と、加圧力設定維持回路とを備えており、
前記拡張期血圧検出回路は、前記囲繞部材における加圧力の上昇の過程で前記肢に生じる拡張期血圧に関する生体信号の発生を検出するようになっており、
前記加圧力設定維持回路は、前記拡張期血圧検出回路によって前記生体信号の発生が検出された際の前記囲繞部材の加圧力を目標加圧力として設定すると共に、当該囲繞部材の加圧力が前記目標加圧力に近似した範囲に入るように当該囲繞部材を制御するようになっていることを特徴とする簡易式の自動電子駆血帯。
【請求項２】
前記拡張期血圧検出回路は、さらに、前記加圧力の下降の過程で前記肢に生じる拡張期血圧に関する生体信号の消滅を検出するようになっており、
前記加圧力設定維持回路は、前記目標加圧力に対して所定の許容加圧力を加えた加圧力を上限加圧力とし、かつ前記目標加圧力に対して零以上の所定の許容加圧力を減じた加圧力を下限加圧力とすることで、当該加圧力を積極的に上下動させながら、当該加圧力が前記目標加圧力に近似した範囲に入るように前記囲繞部材を制御するようになっていると共に、前記加圧力の上昇の過程で前記肢に生じる前記拡張期血圧に関する生体信号の発生が検出された際にはその検出時の前記囲繞部材の加圧力を目標加圧力として設定すると共に、当該目標加圧力に対して所定の許容加圧力を加えた加圧力を上限加圧力として設定し、前記加圧力の降下の過程で前記肢に生じる前記拡張期血圧に関する生体信号の消滅が検出された際にはその検出時の前記囲繞部材の加圧力を目標加圧力として設定すると共に、当該目標加圧力に対して零以上の所定の許容加圧力を減じた加圧力を下限加圧力として設定することにより、前記目標加圧力、前記上限加圧力及び前記下限加圧力を拡張期血圧に応じて設定し直すようになっていることを特徴とする請求項１に記載の簡易式の自動電子駆血帯。
【請求項３】
前記制御装置は、前記目標加圧力が最初に設定された時点から所定時間遅れた後に、静脈穿刺が可能であることを知らせる信号を報知手段に出力する穿刺可能報知回路を備えていることを特徴とする請求項１又は２に記載の簡易式の自動電子駆血帯。
【請求項４】
前記制御装置は、前記囲繞部材の加圧力が所定の上限管理加圧力以上となったこと、又は当該囲繞部材の加圧力が所定の下限管理加圧力以下となったことを検出して、駆血圧が異常であることを知らせる信号を報知手段に出力する駆血圧異常報知回路を備えていることを特徴とする請求項１〜３の何れかに記載の簡易式の自動電子駆血帯。
【請求項５】
前記制御装置は、前記目標加圧力が最初に設定された時点から時間の計測を開始し、当該時間が予め設定された駆血許容時間に達した際に当該駆血許容時間に達したことを知らせる信号を報知手段に出力する駆血許容時間満了報知回路を備えていることを特徴とする請求項１〜４の何れかに記載の簡易式の自動電子駆血帯。
【請求項６】
前記制御装置は、前記囲繞部材の加圧力が予め設定された所定の加圧力に達するまでに前記拡張期血圧検出回路によって生体信号の発生を検出することができない場合に駆血中止回路に移行するための駆血中止判断回路を備えており、
前記駆血中止回路は、囲繞部材の加圧力を下降させる制御を行うと共に、駆血が不可能であることを知らせる信号を報知手段に出力するようになっていることを特徴とする請求項１〜５の何れかに記載の簡易式の自動電子駆血帯。
【請求項７】
前記制御装置は、駆血解除釦から発せられる信号に基づいて、前記囲繞部材の加圧力を減ずる駆血解除回路を備えており、
前記駆血解除釦は、前記制御装置を覆う筐体に及び／又は当該筐体に対して移動可能に設けられたものであって、前記駆血解除回路に前記信号を発することが可能になっていることを特徴とする請求項１〜６の何れかに記載の簡易式の自動電子駆血帯。
【請求項８】
前記囲繞部材には、エアーポンプ、圧力調整弁、圧力センサ及び生体信号検知センサが備えられており、
前記エアーポンプは、前記囲繞部材において加圧力を得るための圧縮空気の供給源となっており、
前記圧力調整弁は、前記エアーポンプから供給される圧縮空気の圧力を前記制御装置からの指令に基づいて調整することにより、前記囲繞部材の加圧力を調整するようになっており、
前記圧力センサは、前記囲繞部材の加圧力を当該囲繞部材における前記空気の圧力により検出するようになっており、
前記生体信号検知センサは、前記生体信号を検知するようになっていることを特徴とする請求項１〜７の何れかに記載の簡易式の自動電子駆血帯。
【請求項９】
前記囲繞部材から空気を排出する流量を調整することにより、当該囲繞部材における加圧力の下降速度を調整する固定式又は可変式の流量調整弁を備えたことを特徴とする請求項８に記載の簡易式の自動電子駆血帯。
【請求項１０】
人体の四肢のうち何れかの肢の周囲を囲む囲繞部材と、この囲繞部材に設けられ当該囲繞部材による前記肢に対する加圧力を制御することが可能な制御装置とを備えた簡易式の自動電子駆血帯であって、
前記制御装置は、拡張期血圧検出回路と、加圧力設定維持回路と、穿刺可能報知回路とを備えており、
前記拡張期血圧検出回路は、前記囲繞部材における加圧力の上昇又は下降の過程で前記肢に生じる拡張期血圧に関する生体信号の変化を検出するようになっており、
前記加圧力設定維持回路は、前記拡張期血圧検出回路によって前記生体信号の変化が検出された際の前記囲繞部材の加圧力を目標加圧力として設定すると共に、当該囲繞部材の加圧力が前記目標加圧力に近似した範囲に入るように当該囲繞部材を制御するようになっており、
前記穿刺可能報知回路は、前記目標加圧力が最初に設定された時点から所定時間遅れた後に、静脈穿刺が可能であることを知らせる信号を報知手段に出力するようになっていることを特徴とする簡易式の自動電子駆血帯。
【発明の詳細な説明】
【技術分野】
【０００１】
本発明は、静脈穿刺をし、採血をしたり、静脈ルート確保（血管確保）をしたりするなどを、適切にかつ容易に行なうことができる簡易式の自動電子駆血帯に関する。
【背景技術】
【０００２】
通常、駆血は、採血等の現場において、例えばゴムバンドを人体の腕に巻き付けることにより行うが、そのゴムバンドによる締め付け力は看護師等の感覚に頼っているのが現状であった。このため、その締め付け力が弱すぎたり、強すぎたりすることがあり、適度な駆血圧で締め付けることが難しいという問題があった。従って、適切な駆血圧に自動で締め付けることができる簡易式の自動電子駆血帯の開発が望まれていた。
【０００３】
一方、ある程度自動で駆血することができる駆血帯としては、人体の腕に装着可能な腕帯と、この腕帯を加圧する加圧手段と、この加圧手段を用いて腕帯の加圧及び減圧を行うことにより、その腕帯を装着した者の収縮期血圧（最高血圧）及び拡張期血圧（最低血圧）を測定する血圧計測手段とを備え、前記血圧計測手段によって拡張期血圧と収縮期血圧とを測定した上で、その拡張期血圧と収縮期血圧との間の何れかの圧力に前記腕帯の圧力を設定することで駆血するように構成したものが知られている（例えば、引用文献１）。
【０００４】
このように構成された駆血帯においては、まず腕帯を腕に装着した後、予想される収縮期血圧を十分に超える圧力まで腕帯を加圧した上で、当該腕帯を徐々に減圧し、その減圧の過程で、生体信号の変化に基づいて収縮期血圧及び拡張期血圧を測定することになる。
【０００５】
即ち、減圧の過程で、生体信号の変化としての例えばコロトコフ音の発生を検知することができるので、その検知時の腕帯の圧力から収縮期血圧を検出し、更に減圧を続行することにより、今度はコロトコフ音の消滅を検知することができるので、その消滅を検知した時の腕帯の圧力から拡張期血圧を検出する。その後、再び腕帯を加圧することにより、当該腕帯の圧力を拡張期血圧と収縮期血圧との間の所定の圧力に設定することで駆血するようになっている。
【０００６】
上記のように駆血することにより、動脈における血液の流れを維持しながら静脈における血液の流れを止めることができることから、静脈を確実に怒張させることができ、その静脈に容易に穿刺することができる。
【０００７】
しかしながら、上記駆血帯を用いた場合には、収縮期血圧を検出する際に、当該収縮期血圧を十分に超える圧力で腕を圧迫しなければならず、その際に腕に痛みを感じることがあるという問題がある。しかも、収縮期血圧及び拡張期血圧の両者を測定した上で、その血圧の間の所定の圧力に腕帯の圧力を設定することになるため、静脈穿刺前の準備段階において多くの時間を要するという問題もあった。
【先行技術文献】
【特許文献】
【０００８】
【特許文献１】特開２００９−９５５１６号公報
【発明の概要】
【発明が解決しようとする課題】
【０００９】
本発明は、上記事情に鑑みてなされたものであり、静脈穿刺前の準備段階において駆血を受ける者に苦痛を与えることがなく、かつその静脈穿刺の準備に要する時間の短縮を図ることのできる簡易式の自動電子駆血帯を提供することを課題としている。
【課題を解決するための手段】
【００１０】
上記課題を解決するために、請求項１に記載の発明は、人体の四肢のうち何れかの肢の周囲を囲む囲繞部材と、この囲繞部材に設けられ当該囲繞部材による前記肢に対する加圧力を制御することが可能な制御装置とを備えた簡易式の自動電子駆血帯であって、前記制御装置は、拡張期血圧検出回路と、加圧力設定維持回路とを備えており、前記拡張期血圧検出回路は、前記囲繞部材における加圧力の上昇の過程で前記肢に生じる拡張期血圧に関する生体信号の発生を検出するようになっており、前記加圧力設定維持回路は、前記拡張期血圧検出回路によって前記生体信号の発生が検出された際の前記囲繞部材の加圧力を目標加圧力として設定すると共に、当該囲繞部材の加圧力が前記目標加圧力に近似した範囲に入るように当該囲繞部材を制御するようになっていることを特徴としている。
【００１１】
上記課題を解決するために、請求項１０に記載の発明は、人体の四肢のうち何れかの肢の周囲を囲む囲繞部材と、この囲繞部材に設けられ当該囲繞部材による前記肢に対する加圧力を制御することが可能な制御装置とを備えた簡易式の自動電子駆血帯であって、前記制御装置は、拡張期血圧検出回路と、加圧力設定維持回路と、穿刺可能報知回路とを備えており、前記拡張期血圧検出回路は、前記囲繞部材における加圧力の上昇又は下降の過程で前記肢に生じる拡張期血圧に関する生体信号の変化を検出するようになっており、前記加圧力設定維持回路は、前記拡張期血圧検出回路によって前記生体信号の変化が検出された際の前記囲繞部材の加圧力を目標加圧力として設定すると共に、当該囲繞部材の加圧力が前記目標加圧力に近似した範囲に入るように当該囲繞部材を制御するようになっており、前記穿刺可能報知回路は、前記目標加圧力が最初に設定された時点から所定時間遅れた後に、静脈穿刺が可能であることを知らせる信号を報知手段に出力するようになっていることを特徴としている。
【００１２】
請求項２に記載の発明は、請求項１に記載の発明において、前記拡張期血圧検出回路は、さらに、前記加圧力の下降の過程で前記肢に生じる拡張期血圧に関する生体信号の消滅を検出するようになっており、前記加圧力設定維持回路は、前記目標加圧力に対して所定の許容加圧力を加えた加圧力を上限加圧力とし、かつ前記目標加圧力に対して零以上の所定の許容加圧力を減じた加圧力を下限加圧力とすることで、当該加圧力を積極的に上下動させながら、当該加圧力が前記目標加圧力に近似した範囲に入るように前記囲繞部材を制御するようになっていると共に、前記加圧力の上昇の過程で前記肢に生じる前記拡張期血圧に関する生体信号の発生が検出された際にはその検出時の前記囲繞部材の加圧力を目標加圧力として設定すると共に、当該目標加圧力に対して所定の許容加圧力を加えた加圧力を上限加圧力として設定し、前記加圧力の降下の過程で前記肢に生じる前記拡張期血圧に関する生体信号の消滅が検出された際にはその検出時の前記囲繞部材の加圧力を目標加圧力として設定すると共に、当該目標加圧力に対して零以上の所定の許容加圧力を減じた加圧力を下限加圧力として設定することにより、前記目標加圧力、前記上限加圧力及び前記下限加圧力を拡張期血圧に応じて設定し直すようになっていることを特徴としている。
【００１３】
請求項３に記載の発明は、請求項１又は２に記載の発明において、前記制御装置は、前記目標加圧力が最初に設定された時点から所定時間遅れた後に、静脈穿刺が可能であることを知らせる信号を報知手段に出力する穿刺可能報知回路を備えていることを特徴としている。
【００１４】
請求項４に記載の発明は、請求項１〜３の何れかに記載の発明において、前記制御装置は、前記囲繞部材の加圧力が所定の上限管理加圧力以上となったこと、又は当該囲繞部材の加圧力が所定の下限管理加圧力以下となったことを検出して、駆血圧が異常であることを知らせる信号を報知手段に出力する駆血圧異常報知回路を備えていることを特徴としている。
【００１５】
請求項５に記載の発明は、請求項１〜４の何れかに記載の発明において、前記制御装置は、前記目標加圧力が最初に設定された時点から時間の計測を開始し、当該時間が予め設定された駆血許容時間に達した際に当該駆血許容時間に達したことを知らせる信号を報知手段に出力する駆血許容時間満了報知回路を備えていることを特徴としている。
【００１６】
請求項６に記載の発明は、請求項１〜５の何れかに記載の発明において、前記制御装置は、前記囲繞部材の加圧力が予め設定された所定の加圧力に達するまでに前記拡張期血圧検出回路によって生体信号の発生を検出することができない場合に駆血中止回路に移行するための駆血中止判断回路を備えており、前記駆血中止回路は、囲繞部材の加圧力を下降させる制御を行うと共に、駆血が不可能であることを知らせる信号を報知手段に出力するようになっていることを特徴としている。
【００１７】
請求項７に記載の発明は、請求項１〜６の何れかに記載の発明において、前記制御装置は、駆血解除釦から発せられる信号に基づいて、前記囲繞部材の加圧力を減ずる駆血解除回路を備えており、前記駆血解除釦は、前記制御装置を覆う筐体に及び／又は当該筐体に対して移動可能に設けられたものであって、前記駆血解除回路に前記信号を発することが可能になっていることを特徴としている。
【００１８】
請求項８に記載の発明は、請求項１〜７の何れかに記載の発明において、前記囲繞部材には、エアーポンプ、圧力調整弁、圧力センサ及び生体信号検知センサが備えられており、前記エアーポンプは、前記囲繞部材において加圧力を得るための圧縮空気の供給源となっており、前記圧力調整弁は、前記エアーポンプから供給される圧縮空気の圧力を前記制御装置からの指令に基づいて調整することにより、前記囲繞部材の加圧力を調整するようになっており、前記圧力センサは、前記囲繞部材の加圧力を当該囲繞部材における前記空気の圧力により検出するようになっており、前記生体信号検知センサは、前記生体信号を検知するようになっていることを特徴としている。
【００１９】
請求項９に記載の発明は、請求項８に記載の発明において、前記囲繞部材から空気を排出する流量を調整することにより、当該囲繞部材における加圧力の下降速度を調整する固定式又は可変式の流量調整弁を備えたことを特徴としている。
【発明の効果】
【００２０】
請求項１に記載の発明によれば、囲繞部材における加圧力の上昇の過程で肢に生じる拡張期血圧に関する生体信号の発生を検出する拡張期血圧検出回路と、当該拡張期血圧検出回路によって生体信号の発生が検出された際に、その際の囲繞部材の加圧力を目標加圧力として設定すると共に、当該目標加圧力に近似した範囲に入るように当該囲繞部材の加圧力を制御する加圧力設定維持回路とを備えているので、人体の何れかの肢（例えば上腕）に対して収縮期血圧を超えるような加圧力を作用させることがない。
即ち、拡張期血圧に関する生体信号の発生は、囲繞部材の加圧力をほぼ零の状態から徐々に上昇させる過程で例えばコロトコフ音の発生として検出することができる。このように、生体信号を検出して目標加圧力を設定する過程で、上腕等の肢を締め付ける加圧力が収縮期血圧より十分低く抑えられるので、静脈穿刺前の準備段階で駆血を受ける者に苦痛を与えることがない。
【００２１】
請求項１０に記載の発明によれば、囲繞部材における加圧力の上昇又は下降の過程で肢に生じる拡張期血圧に関する生体信号の変化を検出する拡張期血圧検出回路と、当該拡張期血圧検出回路によって生体信号の変化が検出された際に、その際の囲繞部材の加圧力を目標加圧力として設定すると共に、当該目標加圧力に近似した範囲に入るように当該囲繞部材の加圧力を制御する加圧力設定維持回路とを備えているので、人体の何れかの肢（例えば上腕）に対して収縮期血圧を超えるような加圧力を作用させることがない。
即ち、拡張期血圧に関する生体信号の変化は、囲繞部材の加圧力をほぼ零の状態から徐々に上昇させる過程で例えばコロトコフ音の発生として検出することができる。また、当該生体信号の変化は、例えば一般的に予想される拡張期血圧より十分高く、かつ収縮期血圧より十分低い血圧に対応するように囲繞部材の加圧力を設定し、その加圧力から徐々に下降させる過程でコロトコフ音の消滅として検出することができる。いずれにしても、生体信号を検出して目標加圧力を設定する過程で、上腕等の肢を締め付ける加圧力が収縮期血圧より十分低く抑えられるので、静脈穿刺前の準備段階で駆血を受ける者に苦痛を与えることがない。
【００２２】
しかも、請求項１に記載の発明によれば、囲繞部材の加圧力の上昇の過程で拡張期血圧に関する生体信号の発生を検出し、その際の囲繞部材の加圧力を目標加圧力として設定すると共に、その目標加圧力に近似する範囲内となるように囲繞部材の加圧力を制御することで駆血することができる。
また、請求項１０に記載の発明によれば、囲繞部材の加圧力の上昇又は下降の過程で拡張期血圧に関する生体信号の変化を検出し、その際の囲繞部材の加圧力を目標加圧力として設定すると共に、その目標加圧力に近似する範囲内となるように囲繞部材の加圧力を制御することで駆血することができる。
したがって、請求項１又は１０に記載の発明によれば、収縮期血圧及び拡張期血圧を測定してから、その間の圧力に腕帯の圧力を設定する従来の場合に比べて、駆血に要する時間の短縮を図ることができる。
【００２３】
また、請求項１又は１０に記載の発明によれば、拡張期血圧及びその近傍の圧力で駆血することができるので、動脈の血流を維持しながら、静脈の血流を遮断することができる。よって、静脈を短時間で怒張させることができるという利点を有する。
【００２４】
請求項２に記載の発明によれば、加圧力設定維持回路によって、目標加圧力に対する上限加圧力及び下限加圧力を設定し、囲繞部材の加圧力を積極的に上下動させることで、当該加圧力を目標加圧力の近傍に維持するようになっており、加圧力の上昇する過程で目標加圧力及び上限加圧力を設定し直すと共に、加圧力の下降する過程で目標加圧力及び下限加圧力を設定し直すようになっているので、駆血を受けている者の拡張期血圧が変動するような場合でも、その変動に追随するように囲繞部材の加圧力を制御することができる。
【００２５】
従って、例えば静脈穿刺の際の精神的な緊張により、拡張期血圧が一時的に上昇した後徐々に下降するような場合や、何らかの原因で拡張期血圧が上下動するような場合等でも、その変化する拡張期血圧に応じた適切な加圧力で無理なく駆血することができる。
【００２８】
請求項３又は１０に記載の発明によれば、目標加圧力が最初に設定された時点から所定時間遅れた後に、静脈穿刺が可能であることを知らせる信号を報知手段に出力する穿刺可能報知回路を備えているので、その報知を受けた看護師等は、血液が充満し怒張した後の静脈を確認することができる。しかも、本発明の簡易式の自動電子駆血帯を人体の何れかの肢に取り付けてから報知を受けるまで間、看護師等は穿刺部の消毒等の他の作業に専念できるという利点もある。
【００２９】
請求項４に記載の発明によれば、囲繞部材の加圧力が所定の上限管理加圧力以上となった場合、又は加圧力が所定の下限管理加圧力以下となったことを検出して、駆血圧が異常であることを知らせる信号を報知手段に出力する駆血圧異常報知回路を備えているので、そのような駆血圧の異常に対して即座に対応することができる。
【００３０】
請求項５に記載の発明によれば、目標加圧力が最初に設定された時点から時間の計測を開始し、当該時間が予め設定された駆血許容時間に達した際に当該駆血許容時間に達したことを知らせる信号を報知手段に出力する駆血許容時間満了報知回路を備えているので、駆血によって上腕等の肢に弊害が生じるのを未然に防止することができる。
【００３１】
請求項６に記載の発明によれば、囲繞部材の加圧力が所定の加圧力に達するまでに拡張期血圧検出回路によって生体信号の発生を検出することができない場合に駆血中止回路に移行する駆血中止判断回路を備えており、駆血中止回路は、囲繞部材の加圧力を下降させる制御を行うと共に、駆血が不可能であることを知らせる信号を報知手段に出力するようになっているので、拡張期血圧を検出できないような異常が発生した場合でも囲繞部材の加圧力を下降させる安全対策をとった上で、その異常を看護師等に知らせることができる。
【００３２】
請求項７に記載の発明によれば、駆血解除手段及び駆血解除回路を備えているので、例えば輸血や点滴のための静脈ルート確保がされた後に、駆血解除手段を操作することで、今まで駆血を行っていた囲繞部材の加圧力を即座に解除することができる。
【００３３】
しかも、駆血解除手段が制御装置の筐体に拘束されない自由な位置に移動可能に設けられている場合には、その駆血解除手段を例えば手元においた状態で、静脈ルート確保の作業を行うことができるので、その静脈ルート確保の作業が終了した後、直ちに駆血解除手段を操作して囲繞部材の加圧力を解除することができる。また、静脈ルート確保等のために両手が完全に塞がれているような場合でも、例えば肘で押したり歯で噛んだりすることにより、駆血解除手段を操作することができる利点もある。
【００３４】
請求項８に記載の発明によれば、囲繞部材には少なくともエアーポンプ、圧力調整弁、圧力センサ及び生体信号検知センサが備えられているので、例えば圧力調整弁の設定圧力を所定の時間的間隔をおいて段階的に上昇させることにより、ある圧力の段階において、生体信号の変化としての例えばコロトコフ音が発生したことを生体信号検知センサで検知することができる。また、反対に、圧力調整弁の設定圧力を所定の時間をおいて段階的に下降させることにより、ある圧力の段階において、そのコロトコフ音が消滅したことを生体信号検知センサで検知することができる。
【００３５】
また、圧力の各段階において一定の圧力となった際に、圧力調整弁内の空気の流れが停止し、その空気の流れによる流体音が消えた状態になるので、コロトコフ音の有無を生体信号検知センサで確実に検出することができる。即ち、生体信号の変化を生体信号検知センサによって確実に検知することができる。また、上記時間的間隔を調整することにより、圧力の上昇速度や下降速度を調整することもできる。
【００３６】
請求項９に記載の発明によれば、囲繞部材から空気を排出する流量を調整する固定式又は可変式の流量調整弁を設けているので、囲繞部材の加圧力の下降速度を調整することができる。また、可変式の流量調整弁を設けた場合には、電気信号により又は手動により通過流量を調整することにより、例えば上述した上限加圧力から下限加圧力に達するまでの時間を自由に変更することができる。
【図面の簡単な説明】
【００３７】
【図１】本発明の実施例１として示した簡易式の自動電子駆血帯の外観を示す斜視図である。
【図２】同簡易式の自動電子駆血帯における制御装置等を示すブロック図である。
【図３】本発明の実施例２として示した簡易式の自動電子駆血帯の外観を示す斜視図である。
【図４】同簡易式の自動電子駆血帯における制御装置等を示すブロック図である。
【図５】本発明の実施例３として示した簡易式の自動電子駆血帯の外観を示す斜視図である。
【図６】同簡易式の自動電子駆血帯における制御装置等を示すブロック図である。
【発明を実施するための形態】
【００３８】
本発明を実施するための形態を実施例に基づいて詳細に説明する。
【実施例１】
【００３９】
本発明の実施例１として示す簡易式の自動電子駆血帯は、図１及び図２に示すように、人体の四肢のうち一の肢である上腕Ｗの周囲を囲むように装着することが可能な腕帯（囲繞部材）１と、この腕帯１に一体的に設けられた制御装置２とを備えている。
【００４０】
腕帯１は、上腕Ｗに巻き付けた際に面状ファスナ部１ａによって筒状に維持されるようになっていると共に、当該上腕Ｗに対する着脱が容易になっている。また、腕帯１は、筒状にされた際に内面となる部分に、上腕Ｗに対して加圧力を与えるための加圧袋１ｂを備えたものとなっている。そして、腕帯１又は加圧袋１ｂにおける上腕Ｗに当たる部分には、動脈内の血流の状態によって発生又は消滅する例えばコロトコフ音を検知する生体信号検知センサ１ｃ（図２参照）が設けられている。
【００４１】
制御装置２は、コンピュータによるハードウエア資源を有する電子装置を備えたものであって、これにシーケンスプログラムによるソフトウエアを実行させることによって後述する各種制御を行う回路が構成されたものとなっている。そして、この例における制御装置２は、図２に示すように、空圧装置３を介して加圧袋１ｂに供給する空気の圧力を制御することにより、腕帯１による上腕Ｗに対する加圧力を制御することが可能になっており、そのために拡張期血圧検出回路２０１と、加圧力設定維持回路２０２とを備えたものとなっている。
【００４２】
拡張期血圧検出回路２０１は、制御装置２に備えられた切換弁制御回路２０５を介して空圧装置３の切換弁３０５を制御すると共に、制御装置２に備えられた圧力制御回路２０３を介して空圧装置３の減圧弁（圧力調整弁）３０１及びリリーフ弁（圧力調整弁）３０２を制御することで、加圧袋１ｂ内の空気の圧力を制御し、これにより腕帯１における加圧力の上昇又は下降を制御して、上腕Ｗに生じる拡張期血圧に関する生体信号の変化としてのコロトコフ音の発生又は消滅を検出するようになっている。
【００４３】
即ち、拡張期血圧検出回路２０１は、加圧袋１ｂ内の圧力がほぼ零（即ち、大気圧）又は拡張期血圧より低い圧力の状態において、切換弁制御回路２０５を介して切換弁３０５を切り換えることによってそのＰポートとＡポートを連通状態にし、空圧装置３のエアーポンプ３０３から供給される圧縮空気を加圧袋１ｂ側に供給可能にする。その上で、拡張期血圧検出回路２０１は、圧力制御回路２０３を介して、リリーフ弁３０２を拡張期血圧を超える所定の圧力に設定する制御を行ってから、減圧弁３０１の設定圧力を所定の時間的間隔をおいて段階的に上昇させる制御を行うことにより、加圧袋１ｂ内の圧力を徐々に上昇させて上腕Ｗを徐々に圧迫し、その過程でコロトコフ音の発生を生体信号検知センサ１ｃで検知するようになっている。
【００４４】
なお、拡張期血圧検出回路２０１は、加圧袋１ｂ内の圧力が拡張期血圧を超えた状態にある場合において、当該加圧袋１ｂ内の圧力を徐々に下降させる過程でコロトコフ音の消滅を検知するようになっているものであってもよい。この場合は、減圧弁３０１の設定圧力をほぼ零に設定する制御を行うことにより、エアーポンプ３０３から供給される圧縮空気が減圧弁３０１を介して加圧袋１ｂ側に流れるのを防止した上で、リリーフ弁３０２の設定圧力を所定の時間的間隔をおいて段階的に下降させる制御を行うことになる。なお、加圧袋１ｂ内の圧力を下降させる際には、切換弁制御回路２０５を介して切換弁３０５を中立位置に戻すことで、ＰポートとＡポートとを不通にし、これにより圧縮空気が加圧袋１ｂ側に流れるのを防止してもよい。この場合には、減圧弁３０１の設定圧力をほぼ零に設定する制御を行っても行わなくてもよい。
【００４５】
加圧力設定維持回路２０２は、拡張期血圧検出回路２０１によってコロトコフ音の発生又は消滅を検出した際に、加圧袋１ｂ内の圧力を圧力センサ３０４によって検知することによって、その圧力を目標加圧力として設定すると共に、加圧袋１ｂ内の圧力が目標加圧力に近似した範囲に入るように、圧力制御回路２０３を介して減圧弁３０１及びリリーフ弁３０２を制御するようになっている。
【００４６】
この際、加圧力設定維持回路２０２は、目標加圧力に対して所定の許容圧力（許容加圧力）を加えた圧力を上限加圧力とし、かつ目標加圧力に対して零以上の所定の許容圧力を減じた圧力を下限加圧力とすることで、加圧袋１ｂ内の圧力を減圧弁３０１及びリリーフ弁３０２を介して積極的に上下動させながら、当該加圧袋１ｂの圧力が目標加圧力に近似した範囲に入るように腕帯１の加圧力を制御するようになっている。
【００４７】
更に、加圧力設定維持回路２０２は、加圧袋１ｂ内の圧力の上昇の過程で上腕Ｗに生じるコロトコフ音の発生を再度検出した際にはその時の加圧袋１ｂ内の空気の圧力を目標加圧力として設定すると共に、当該目標加圧力に対して所定の許容圧力を加えた圧力を上限加圧力として設定し、加圧袋１ｂ内の圧力の下降の過程で上腕Ｗに生じるコロトコフ音の消滅を検出した際にはその検出時の加圧袋１ｂ内の圧力を目標加圧力として設定すると共に、当該目標加圧力に対して零以上の所定の許容圧力を減じた圧力を下限加圧力として設定することにより、目標加圧力、上限加圧力及び下限加圧力を拡張期血圧の変化に応じて設定し直すようになっている。なお、加圧力設定維持回路２０２は、切換弁制御回路２０５を介して切換弁３０５を制御することにより、そのＰポートとＡポートとを連通した状態に維持することになる。但し、加圧袋１ｂ内の圧力を下降させる際には、ＰポートとＡポートが不通になるように切換弁３０５を切り換えてもよい。その場合には、上述したように、減圧弁３０１の設定圧力をほぼ零に設定する制御を行っても行わなくてもよい。
【００４８】
更に、制御装置２は、拡張期血圧検出回路２０１によって生体信号の変化を検出した際の加圧袋１ｂの圧力が予め設定された所定の圧力以下の場合には、加圧力設定維持回路２０２による制御を行うことなく、高位の加圧力設定維持回路２０６による制御を行うべく判断する加圧力切替判断回路２１１を備えている。
【００４９】
高位の加圧力設定維持回路２０６は、拡張期血圧検出回路２０１によって生体信号の変化を検出した際の加圧袋１ｂの圧力に対して更に圧力を上昇させるべく制御することによって、上腕Ｗに生じる収縮期血圧に関するコロトコフ音の消滅を検出し、その検出時の加圧袋１ｂの圧力から所定の圧力を差し引いた圧力を高位の目標加圧力として設定すると共に、当該高位の目標加圧力に所定の許容圧力を加えた圧力を高位の上限加圧力として設定し、かつ高位の目標加圧力から零以上の所定の許容圧力を減じた圧力を高位の下限加圧力として設定し、加圧袋１ｂの圧力が高位の上限加圧力に達した際に当該加圧袋１ｂの圧力が下降するように圧力制御回路２０３を介して減圧弁３０１及びリリーフ弁３０２を制御し、加圧袋１ｂの圧力が高位の下限加圧力に達した際に当該加圧袋１ｂの圧力が上昇するように圧力制御回路２０３を介して減圧弁３０１及びリリーフ弁３０２を制御することにより、当該加圧袋１ｂの圧力を高位の目標加圧力の近傍に維持するようになっている。
【００５０】
また、制御装置２は、エアーポンプ３０３から供給される空気の圧力であって、切換弁３０５から加圧袋１ｂに供給するための空気の圧力を、所定の範囲に維持するための元圧維持回路２０４を備えられている。
【００５１】
元圧維持回路２０４は、エアーポンプ３０３から供給される空気の圧力が所定の圧力の範囲内に入るように、当該エアーポンプ３０３の起動及び停止を制御するようになっている。即ち、元圧維持回路２０４は、エアーポンプ３０３の吐出側に設けられた圧力センサ３０６が上限値としての例えば１５５ｍｍＨｇの圧力を検知するまではエアーポンプ３０３を起動すべく制御し、当該圧力センサ３０６が上限値に達した際にはエアーポンプ３０３を停止すべく制御し、当該エアーポンプ３０３の停止により、当該圧力センサ３０６で検知する圧力が徐々に低下し、下限値としての例えば１４５ｍｍＨｇに達した際にはエアーポンプ３０３を起動する制御を行うことにより、エアーポンプ３０３の吐出側の空気の圧力を１４５〜１５５ｍｍＨｇの範囲に入るように制御するようになっている。
【００５２】
また、エアーポンプ３０３の吐出口の付近には、圧縮空気が当該エアーポンプ３０３側に逆流するのを防止するチェック弁３０７が設けられている。また、チェック弁３０７の下流側には、安全弁３０８、上記圧力センサ３０６、アキュムレータ３０９、上記切換弁３０５、上記減圧弁３０１及び上記リリーフ弁３０２が順次設けられている。
【００５３】
安全弁は、例えば１７０ｍｍＨｇに設定することにより、万一、元圧維持回路２０４等に異常が生じた場合でも、エアーポンプ３０３の吐出側の圧力が１７０ｍｍＨｇを超えることがないようになっており、空圧回路３の安全を図ると共に、加圧袋１ｂに供給される空気圧によって人体に悪影響を与えないようになっている。
【００５４】
アキュムレータ３０９は、エアーポンプ３０３から供給される空気を蓄えることにより、加圧袋１ｂに供給する空気の流量を安定化させるようになっている。
【００５５】
また、制御装置２は、筐体２０によって覆われるようになっており、筐体２０の表面部２０ａ（図１参照）には起動停止釦２１が設けられている。起動停止釦２１は、一種のスイッチになっており、一度目の押す操作によって制御装置２における図示しない電源回路を起動させ、二度目の押す操作によって当該電源回路を停止させるようになっている。元圧維持回路２０４については、電源回路の起動によって制御を開始するようになっている。このため、起動停止釦２１を押すことで、エアーポンプ３０３が起動して、当該エアーポンプ３０３から吐出された空気が切換弁３０５の上流側の回路、アキュムレータ３０９等に充填されることになると共に、その圧力が上述した１４５〜１５５ｍｍＨｇに維持されることになる。
【００５６】
また、筐体２０の表面部２０ａには、駆血開始釦２２が設けられている。この駆血開始釦２１も、一種のスイッチになっており、これを押すことによって、上述した拡張期血圧検出回路２０１、加圧力設定維持回路２０２、圧力制御回路２０３、切換弁制御回路２０５、加圧力切替判断回路２１１、高位の加圧力設定維持回路２０６等が必要に応じて作動し、加圧袋１ｂの圧力を上限加圧力から下限加圧力の範囲に維持するようになっている。
【００５７】
また、制御装置２は、目標加圧力が最初に設定された時点から所定時間（約１０秒）遅れた後に、静脈穿刺が可能であることを知らせる信号をスピーカ（報知手段）２６に出力する穿刺可能報知回路２０８を備えている。従って、看護師等は、スピーカ２６からの音による報知によって、穿刺が可能になったことを知ることが可能になる。また、筐体２０の表面部２０ａには、スピーカ２６による報知を停止させるためのリセット釦２７が設けられている。
【００５８】
なお、穿刺可能報知回路２０８による報知があった後であっても、静脈が十分に怒張していない場合には、筐体２０の表面部２０ａに設けた加圧力増減釦２３を増加方向又は減少方向に押すことにより、加圧袋１ｂの圧力を調整することが可能になっている。即ち、加圧力増減釦２３は、当該加圧力増減釦２３から発する増加又は減少の信号に基づいて、圧力制御回路２０３を介して減圧弁３０１及びリリーフ弁３０２を制御することで、加圧袋１ｂの圧力の増減を手動で制御することが可能になっている。
【００５９】
また、筐体２０の表面部２０ａには、静脈穿刺を開始した際に押す穿刺開始釦２４が設けられており、制御装置２には、穿刺開始釦２４を押すことによって入力される穿刺開始信号に基づいて時間の計測を開始し、当該時間が予め設定された穿刺時間に達した際に当該穿刺時間に達したことを知らせる信号をスピーカ２６に出力する穿刺終了報知回路２０９が備えられている。
【００６０】
更に、制御装置２は、目標加圧力が最初に設定された時点から時間の計測を開始し、当該時間が予め設定された駆血許容時間に達した際に当該駆血許容時間に達したことを知らせる信号をスピーカ２６に出力する駆血許容時間満了報知回路２１３を備えている。
【００６１】
また、制御装置２は、腕帯１の加圧力としての加圧袋１ｂの圧力が所定の上限管理加圧力以上となったこと、又は当該加圧袋１ｂの圧力が所定の下限管理加圧力以下となったことを圧力センサ３０４を介して検出することにより、駆血圧が異常であることを知らせる信号をスピーカ２６に出力する駆血圧異常報知回路２１０を備えている。
【００６２】
また、制御装置２は、加圧袋１ｂの圧力が予め設定された所定の圧力に達するまで、拡張期血圧検出回路２０１によって生体信号の変化を検出することができない場合には、駆血中止回路２０７に移行するための駆血中止判断回路２１２を備えている。
【００６３】
駆血中止回路２０７は、加圧袋１ｂの圧力を下降させる制御を行うと共に、駆血が不可能であることを知らせる信号をスピーカ２６に出力するようになっている。即ち、駆血中止回路２０７は、切換弁制御回路２０５を介して切換弁３０５のＰポートとＡポートとを不通の状態に戻すべく制御すると共に、圧力制御回路２０３を介して減圧弁３０１及びリリーフ弁３０２の設定圧力を零の状態に戻すべく制御するようになっている。
【００６４】
また、筐体２０には、その表面部２０ａに固定駆血解除釦（駆血解除手段）２５が設けられていると共に、信号線２５１ａを介して可動駆血解除釦（駆血解除手段）２５１が設けられている。可動駆血解除釦２５１は、屈曲自在な信号線２５１ａの先端部に設けられており、筐体２０に拘束されない自由な位置に移動可能になっている。
【００６５】
固定駆血解除釦２５及び可動駆血解除釦２５１は、共に、一種のスイッチになっており、何れを押すことによっても、制御装置２に設けられた駆血解除回路２１４に駆血解除信号を発するようになっている。なお、可動駆血解除釦２５１は、信号線２５１ａによらず無線により駆血解除信号を駆血解除回路２１４に発するように構成してもよい。
【００６６】
駆血解除回路２１４は、駆血解除信号に基づいて、切換弁制御回路２０５を介して切換弁３０５のＰポートとＡポートとを不通の状態に切り換える制御をすると共に、圧力制御回路２０３を介して減圧弁３０１及びリリーフ弁３０２を制御することにより、加圧袋１ｂの圧力を大気圧状態まで一気に下降させるようになっている。なお、図２においては、駆血解除回路２１４と、圧力制御回路２０３及び切換弁制御回路２０５との関連を示す矢印を用いた線を省略している。
【００６７】
上記のように構成された簡易式の自動電子駆血帯においては、上腕Ｗに対して収縮期血圧を超える圧力で圧迫することなく、当該上腕Ｗを拡張期血圧に近い圧力で駆血することができる。従って、静脈穿刺前の準備段階で駆血を受ける者に苦痛を与えることがない。
【００６８】
しかも、収縮期血圧及び拡張期血圧を測定し、その間の圧力に腕帯の圧力を設定することで駆血する従来の場合に比べて、その駆血に要する時間の短縮を図ることができる。
【００６９】
また、拡張期血圧及びその近傍の圧力で駆血することができるので、動脈の血流を維持しながら、静脈の血流を遮断することができる。よって、静脈を短時間で怒張させることができる。
【００７０】
更に、加圧力設定維持回路２０２により、加圧袋１ｂの圧力の上昇する過程で目標加圧力及び上限加圧力を設定し直すことができると共に、加圧袋１ｂの圧力の下降する過程で目標加圧力及び下限加圧力を設定し直すことができるので、拡張期血圧が変動するような場合でも、その変動に追随するように加圧袋１ｂの圧力を制御することができる。
【００７１】
従って、例えば静脈穿刺の際の精神的な緊張により、拡張期血圧が一時的に上昇した後徐々に下降するような場合や、何らかの原因で拡張期血圧が上昇又は下降する場合でも、その変化後の拡張期血圧に応じた適切な加圧力で無理なく駆血することができる。
【００７２】
また、目標加圧力を最初に設定した時点から所定時間遅れた後に、静脈穿刺が可能であることを知らせる信号をスピーカ２６に出力する穿刺可能報知回路２０８を備えているので、その報知を受けた看護師等は、血液が十分に充填されて怒張した後の静脈を確認することができる。従って、看護師等は、報知後に、即座に静脈穿刺を行うことができる。しかも、報知を受けるまでの時間を、穿刺部の消毒等やその他の作業のために有効に使うことができるという利点もある。
【００７３】
加圧袋１ｂの圧力が所定の上限管理加圧力以上になったこと、又は当該圧力が所定の下限管理加圧力以下になったことを検出して、駆血圧が異常であることを知らせる駆血圧異常報知回路２１０を備えているので、例えば静脈穿刺の最中に血圧に異常が生じた場合でも即座に対応することができる。
【００７４】
また、穿刺開始釦２４の操作に伴って発せられる穿刺開始信号に基づいて時間の計測を開始し、穿刺時間に達したことを知らせる穿刺終了報知回路２０９を備えているので、看護師等は、静脈穿刺を最適な時期に確実かつ安全に終了させることができる。
【００７５】
一方、拡張期血圧に関するコロトコフ音の発生を検出した際の加圧袋１ｂの圧力が所定の圧力以下の場合には、高位の加圧力設定維持回路２０６による制御を行うことができるので、拡張期血圧より十分高く、かつ収縮期血圧より十分低い加圧袋１ｂの圧力で安全に駆血することができる。
【００７６】
また、高位の加圧力設定維持回路２０６による制御が行われる場合でも、加圧袋１ｂの圧力が収縮期血圧より上昇することがないので、駆血を受ける者が加圧袋１ｂの圧力により苦痛を受けるのを防止することができる。また、収縮期血圧に関する加圧袋１ｂの圧力を検出し、その圧力から所定の加圧力を差し引いた圧力を高位の目標加圧力としているので、従来の場合に比べて短時間で静脈穿刺の準備をすることができる。
【００７７】
更に、目標加圧力が最初に設定された時点から時間の計測を開始し、当該時間が予め設定された駆血許容時間に達した際に当該駆血許容時間に達したことを知らせる信号をスピーカ２６に出力する駆血許容時間満了報知回路２１３を備えているので、駆血によって上腕Ｗに弊害が生じるのを未然に防止することができる。
【００７８】
また、固定駆血解除釦２５、可動駆血解除釦２５１び駆血解除回路２１４を備えているので、例えば輸血や点滴のための静脈ルート確保がなされた後に、固定駆血解除釦２５又は可動駆血解除釦２５１を操作することで、今まで駆血を行っていた加圧袋１ｂの圧力を急速に下降させて腕帯１の加圧力を即座に解除することができる。
【００７９】
しかも、可動駆血解除釦２５１の場合には、その可動駆血解除釦２５１を例えば手元においた状態で、静脈ルート確保の作業を行うことができるので、その作業が終了した後、直ちに当該可動駆血解除釦２５１を操作して腕帯１の加圧力を抜くことができる。また、静脈ルート確保等のために両手が完全に塞がれているような場合でも、例えば肘で押したり歯で噛んだりすることにより、可動駆血解除釦２５１を操作することができる利点もある。
【００８０】
また、加圧袋１ｂの圧力が所定の圧力に達するまで、拡張期血圧検出回路２０１による生体信号の変化を検出することができない場合には駆血中止回路２０７に移行する駆血中止判断回路２１２を備えており、駆血中止回路２０７は、加圧袋１ｂの圧力を下降させる制御を行うと共に、駆血が不可能であることを知らせる信号をスピーカ２６に出力するようになっているので、拡張期血圧を検出できないような異常が発生した場合でも加圧袋１ｂの圧力を下降させる安全対策をとった上で、その異常を看護師等に知らせることができる。従って、看護師等は、その異常発生後の処置を、より安全にかつ速やかに行うことができる。
【００８１】
更に、減圧弁３０１の設定圧力を所定の時間的間隔をおいて段階的に上昇させることにより、ある段階の圧力において、例えばコロトコフ音が発生したことを生体信号検知センサ１ｃで検知することができる。また、反対に、リリーフ弁３０２の設定圧力を所定の時間をおいて段階的に下降させることにより、ある段階の圧力において、そのコロトコフ音が消滅したことを生体信号検知センサ１ｃで検知することができる。
【００８２】
そして、各段階において一定の圧力となり、その際圧力調整弁内の空気の流れが停止し空気による流体音が消えた状態になるので、コロトコフ音の有無を生体信号検知センサ１ｃによって確実に検知することができる。
【実施例２】
【００８３】
次に、この発明の実施例２を図３及び図４を参照して説明する。但し、図１及び図２に示す実施例１で示した構成要素と共通する要素には同一の符号を付し、その説明を省略する。
【００８４】
この実施例２で示す簡易式の自動電子駆血帯が実施例１と異なる点は、報知手段としてスピーカ２６の他に小型の表示装置２８Ａを設けている点と、切換弁３０５に固定絞り（固定式の流量制御弁）３０５ａを設けている点と、加圧袋１ｂから空気を急速に抜くための排気用切換弁３１０を備えている点である。
【００８５】
即ち、切換弁３０５は、図４に示すように、中立の位置において、ＰポートとＡポートとが不通状態となっており、ＲポートとＢポートとが連通状態となっているがその間に固定絞り３０５ａが設けられており、切換時において、ＰポートとＡポートとが連通状態となっており、ＲポートとＢポートとが不通状態となっている。また、Ｐポートはエアーポンプ３０３側に接続され、Ａポートは減圧弁３０１側に接続され、Ｒポートは消音器３１１を介して大気に連通され、Ｂポートは加圧袋１ｂの排出口に接続されている。
【００８６】
排気用切換弁３１０は、中立の位置において、ＡポートとＢポートとが不通状態となっており、切換時において、ＡポートとＢポートとが連通状態となっている。また、Ａポートは加圧袋１ｂの排出口に接続され、かつ切換弁３０５のＢポートに接続されており、Ｂポートは消音器３１２を介して大気に連通されている。
【００８７】
固定絞り３０５ａは、加圧袋１ｂ内から大気側に排出される空気の流量を制限することにより、当該加圧袋１ｂの圧力の下降速度を調整するようになっている。
【００８８】
表示装置２８Ａは、報知内容を表示すると共に、加圧力増減釦２３を用いて手動で加圧袋１ｂの圧力を増減する際の当該加圧袋１ｂの圧力を表示するなど、必要最小限の内容を表示することが可能になっている。
【００８９】
上記のように構成された簡易式の自動電子駆血帯においては、拡張期血圧検出回路２０１、加圧力設定維持回路２０２、高位の加圧力設定維持回路２０６等により加圧袋１ｂの圧力を上昇する際には、切換弁３０５を切り換えて、当該切換弁３０５のＰポートとＡポートとを連通状態にし、ＲポートとＢポートとを不通状態にし、かつ排気用切換弁３１０のＡポートとＢポートとを不通状態にする。これにより、エアーポンプ３０３から供給される空気が減圧弁３０１を介して加圧袋１ｂ内に流入すると共に、当該加圧袋１ｂ内の圧力が減圧弁３０１及びリリーフ弁３０２により制御されることになる。
【００９０】
一方、拡張期血圧検出回路２０１、加圧力設定維持回路２０２、高位の加圧力設定維持回路２０６等により加圧袋１ｂの圧力を下降する際には、切換弁制御回路２０５を介して切換弁３０５を中立位置に戻すことで、エアーポンプ３０３から加圧袋１ｂへの空気の供給を絶つと共に、加圧袋１ｂを固定絞り３０５ａを介して大気に連通させ、当該固定絞り３０５ａによって制限された空気流量の速度で加圧袋１ｂの圧力を下降させることができる。また、この際、切換弁制御回路２０５を介して排気用切換弁３１０を中立状態に維持すべく制御することにより、当該排気用切換弁３１０のＡポートを遮断し、当該排気用切換弁３１０から加圧袋１ｂ内の空気が大気側に逃げるのを防止する。なお、加圧袋１ｂの圧力の下降速度を固定絞り３０５ａのみで制御するのであれば、リリーフ弁３０２は削除することも可能である。
【００９１】
また、駆血中止回路２０７、駆血解除回路２１４等で、駆血を中止あるいは解除する場合には、切換弁制御回路２０５を介して切換弁３０５を中立位置に戻す制御を行うことにより、エアーポンプ３０３から加圧袋１ｂへの空気の供給を絶つと共に、切換弁制御回路２０５を介して排気用切換弁３１０を切り換える制御を行うことにより、その排気用切換弁３１０のＡポート、Ｂポート及び消音器３１２を介して加圧袋１ｂ内の空気を大気に大量に排出する。これにより、加圧袋１ｂの圧力を瞬間的に大気圧まで下げることができる。
【実施例３】
【００９２】
次に、この発明の実施例３を図５及び図６を参照して説明する。但し、図３及び図４に示す実施例２で示した構成要素と共通する要素には同一の符号を付し、その説明を省略する。
【００９３】
この実施例３で示す簡易式の自動電子駆血帯が実施例２と異なる点は、報知手段として大型の表示装置２８Ｂを設けている点と、切換弁３０５において固定絞り３０５ａが除かれている点と、加圧袋１ｂと切換弁３０５のＢポートとの間に可変絞り（可変式の流量調整弁）３１３を設けている点である。
【００９４】
切換弁３０５は、固定絞り３０５ａが除かれたことから、中立位置において、ＲポートとＢポートとが単に連通するものとなっている。可変絞り３１３は、加圧袋１ｂから切換弁３０５のＢポート、Ｒポート及び消音器３１１を介して大気に排出される空気の流量を回転摘み３１３ａを用いて調整することが可能になっている。
【００９５】
表示装置２８Ｂは、報知内容を表示すると共に、目標加圧力、上限加圧力、下限加圧力、高位の目標加圧力、高位の上限加圧力、高位の下限加圧力等や、加圧袋１ｂの圧力等の駆血に関するデータを同時に表示することが可能になっている。
【００９６】
上記のように構成された簡易式の自動電子駆血帯においては、拡張期血圧検出回路２０１、加圧力設定維持回路２０２、高位の加圧力設定維持回路２０６等により加圧袋１ｂの圧力を下降する際には、切換弁制御回路２０５を介して排気用切換弁３１０を中立位置に維持すると共に、切換弁３０５を中立位置に戻す制御をすることで、エアーポンプ３０３から加圧袋１ｂへの空気の供給を絶つと共に、加圧袋１ｂを可変絞り３１３、切換弁３０５及び消音器３１１を介して大気に連通させることにより、当該可変絞り３１３で制御された空気流量に基づく速度で加圧袋１ｂの圧力を下降させることができる。
【００９７】
この場合、回転摘み３１３ａを回すことにより、可変絞り３１３を通過する空気流量を調整することができるので、上限加圧力から下限加圧力に達するまでの時間を所定の範囲内で自由に設定することができる。なお、この場合も、加圧袋１ｂの圧力の下降速度を可変絞り３１３のみで制御するのであれば、リリーフ弁３０２を削除することも可能である。
【００９８】
なお、上記各実施例においては、腕帯１による上腕Ｗに対する加圧力を腕帯１に備えた加圧袋１ｂの空気の圧力により制御するように構成したが、当該加圧力を例えば腕帯１の周方向の長さを調整することで制御するように構成してもよい。この場合には、腕帯１を電動モータ等の駆動手段で巻き取る量を制御することにより、当該腕帯１の加圧力を拡張期血圧等に対応するように制御するなど、空圧装置３を用いた場合と同様の制御を行うことができる。
【００９９】
また、上記各実施例においては、腕帯１によって囲繞部材を構成した例を示したが、この囲繞部材としては、腕等の各肢が挿入可能なように単に筒状に形成され、その内面に沿って加圧袋１ｂなどの加圧手段が備えられたものであってもよい。
【０１００】
更に、制御装置２としては、コンピュータによるハードウエア資源を用いた電子装置を備えたものであって、シーケンス制御回路をプログラムによって構成することが可能ないわゆるプログラマブルロジックコントローラ（ＰＬＣ）によって構成したものを示したが、そのシーケンス制御回路を無接点リレー等による電子回路で構成したいわゆるハードロジックによって構成したものであってもよい。
【符号の説明】
【０１０１】
１  腕帯（囲繞部材）
１ｃ  生体信号検知センサ
２  制御装置
３  空圧装置
２０  筐体
２５  固定駆血解除釦（駆血解除釦）
２６  スピーカ（報知手段）
２８Ａ  小型の表示装置（報知手段）
２８Ｂ  大型の表示装置（報知手段）
２０１  拡張期血圧検出回路
２０２  加圧力設定維持回路
２０６  高位の加圧力設定維持回路
２０７  駆血中止回路
２０８  穿刺可能報知回路
２１０  駆血圧異常報知回路
２１１  加圧力切替判断回路
２１２  駆血中止判断回路
２１３  駆血許容時間満了報知回路
２１４  駆血解除回路
２５１  可動駆血解除釦（駆血解除釦）
３０１  減圧弁（圧力調整弁）
３０２  リリーフ弁（圧力調整弁）
３０３  エアーポンプ
３０４  圧力センサ
３０５ａ  固定絞り（流量調整弁）
３１３  可変絞り（流量調整弁）
W  上腕
【図１】
0005869327.tif 000002
【図２】
0005869327.tif 000003
【図３】
0005869327.tif 000004
【図４】
0005869327.tif 000005
【図５】
0005869327.tif 000006
【図６】
0005869327.tif 000007